(57)【要約】【課題】  幌車シール構造において、オープンカーの外観を損なうことなく幌に滞留している雨水の車内への漏水を防止した良好な排水機能を有するとともに自動車の製作・組み立てのコストアップを解消し組み立てが容易且つシール性能に優れた幌車シール構造を提供することを課題とする。【解決手段】  幌側に設定されたシール部とボデー側に設定されたシール部を弾接させてシールさせる幌車のシール構造であって、幌シール部コーナー成型部１０２に設定した幌側水受けリップ１６と幌シール部コーナー成型部１０２の後方幌内側に向けて突出させた幌型部後方排水パイプ１９と幌内側に設定した幌ルーフ側排水パイプ２３と幌内側に設定した幌前部排水パイプ１５とを連接させてなる幌車の排水機能を有することを特徴とする幌車シール構造。【選択図】    図５
2006306355.tif 000002
【特許請求の範囲】
【請求項１】
幌側に設定されたシール部とボデー側に設定されたシール部を弾接させてシールさせる幌車のシール構造であって、幌シール部コーナー成型部１０２に設定した幌側水受けリップ１６と幌シール部コーナー成型部１０２の後方幌内側に向けて突出させた幌型部後方排水パイプ１９と幌内側に設定した幌ルーフ側排水パイプ２３と幌内側に設定した幌前部排水パイプ１５とを連接させてなる幌車の排水機能を有することを特徴とする幌車シール構造。
【請求項２】
幌１０８を折りたたんで収納する際、幌型部後方排水パイプ１９と幌ルーフ側排水パイプ２３とが連接されてなる幌排水パイプの曲折部がコイル状の芯線入りパイプ又は蛇腹状等のフレキシブルパイプで構成されていることを特徴とする請求項１記載の幌車シール構造。
【請求項３】
幌型部後方排水パイプ１９と幌ルーフ側排水パイプ２３と幌前部排水パイプ１５とが一体的に構成されたパイプであることを特徴とする請求項１又は２に記載の幌車シール構造。
【発明の詳細な説明】
【技術分野】
【０００１】  本発明は、幌車のシール構造に関し、さらに詳しくは、幌側に設定されたシール部とボデー側に設定されたシール部を弾接させてシールさせる幌車のシール構造において、幌シール部コーナー成型部に設定した幌側水受けリップと幌シール部コーナー成型部の後方幌内側に向けて突出させた幌型部後方排水パイプと幌内側に設定した幌ルーフ側排水パイプと幌内側に設定した幌前部排水パイプとを連接させてなる幌車の排水機能を有する幌車シール構造に関する。
【背景技術】
【０００２】  従来、オープンカーの雨天時におけるシール構造は図１に示すように、フロントウィンドガラスの外周のフロントピラーパネル及びヘッダーパネルに設けられたボデーシール部と幌を構成するルーフの外周に設けられた幌シール部等により構成されている。即ち、幌を閉めることにより幌前部のシール部とフロントガラス上端部のボデーシール部とが弾接するとともに、ドアーガラスを閉めることによりフロントガラス側部のシール部と幌側部のシール部とがドアーガラスと弾接されてシール部が構成されている。【０００３】  しかし、雨が止み幌を開けたときに幌上部に滞留している雨水が車内に滴下することがしばしば起こっていた。そこで、幌を開けたときに幌に滞留している雨水が車内に滴下することを防止する対策として、従来、図２から図４に示すように、ボデーシール部１のボデーシール部コーナー成型部６に水受けリップ７を設けたシール構造が提案されている。【０００４】  図２は図１の幌シール部２の拡大図であり、ボデーシール部コーナー成型部６に水受けリップ７を設けたシール部と幌前部のシール部とが弾接してシール部を構成している模式図を示したものである。図３は図２のＡ−Ａ断面図であり、幌側シール部１３がドアーガラス１２と弾接されてシール部を構成する断面図を示したものである。図４は幌開き始めの状態図を示したものである。【０００５】  そして、図４に示すように、幌８を開けたとき、幌８に滞留している雨水１４はボデーシール部コーナー成型部６に設けた水受けリップ７に流水しフロントガラス５側部のシールを構成するボデーシール部コーナー成型部６の中空部を通じてフロントガラス５側に排水される構成となっている。（特許文献１参照）。【０００６】  しかしながら、上述したようなボデーシール部コーナー成型部６に水受けリップ７を設けた従来のシール構造は、相応の大きさの水受けリップを設けることが必要であった。即ち、雨が激しく多量の雨水１４が幌８に滞留している時などの場合には、小さな水受けリップ７では多量の雨水１４を受けきれず幌８を開けたときに車内に滴下するということがしばしばあった。そのため車内に滴下させないようにするためには、多量の雨水１４を受けるため水受けリップ７の大きさは大きくすることが望ましいがドアガラスと弾接量が過多となると逆に閉時のシール性を損なうばかりか、このことがオープンカーの外観を損なうという問題があった。またさらに、たとえ相応の大きさの水受けリップ７を設けていても幌８の上部に残っている雨水の量によっては水受けリップ７を飛び越し車内へ滴下するという問題も残っていた。【０００７】  また、上述したボデーシール部コーナー成型部６をモールド成型する場合、水受けリップ７を設けるには型が大きく、複雑となる。このことが該コーナー成型部６の金型作りのコストアップにつながるという問題があった。【０００８】  また、水受けリップ７を設けたボデーシール部コーナー成型部６は、型が大きく複雑であるために金型構造も複雑となり該コーナー成型部６の生産性にも影響するという問題があった。【０００９】  上述したように、従来の幌車シール構造において、ボデーシール部コーナー成型部６に水受けリップ７を設けた排水��能を有する幌車シール構造は、水受けリップ７がオープンカーの外観を損なうという問題があるだけでなくボデーシール部コーナー成型部６の金型作りのコストアップや該コーナー成型部６の生産性にも影響するという問題があり、オープンカーの外観を損なうことなく、また、車内への滴下を防止するとともに幌８に滞留している雨水１４を良好に排水できる排水機能を有する幌車シール構造の開発が望まれていた。【００１０】  本発明者は、上記問題点に鑑み幌車シール構造について鋭意研究した結果本発明を完成するに至った。【００１１】
【特許文献１】    （特開平１０−７１８６０号公報）
【発明の開示】
【発明が解決しようとする課題】
【００１２】  本発明は、幌車シール構造において、オープンカーの外観を損なうことなく幌に滞留している雨水の車内への滴下を防止した良好な排水機能を有するとともにシール性能に優れた幌車シール構造を提供することを課題とする。
【課題を解決するための手段】
【００１３】  本発明の第１は、幌側に設定されたシール部とボデー側に設定されたシール部を弾接させてシールさせる幌車のシール構造であって、幌シール部コーナー成型部１０２に設定した幌側水受けリップ１６と幌シール部コーナー成型部１０２の後方幌内側に向けて突出させた幌型部後方排水パイプ１９と幌内側に設定した幌ルーフ側排水パイプ２３と幌内側に設定した幌前部排水パイプ１５とを連接させてなる幌車の排水機能を有することを特徴とする幌車シール構造に関する。【００１４】  本発明の第２は、幌１０８を折りたたんで収納する際、幌型部後方排水パイプ１９と幌ルーフ側排水パイプ２３とが連接されてなる幌排水パイプの曲折部がコイル状の芯線入りパイプ又は蛇腹状等のフレキシブルパイプで構成されていることを特徴とする第１記載の幌車シール構造に関する。【００１５】  本発明の第３は、幌型部後方排水パイプ１９と幌ルーフ側排水パイプ２３と幌前部排水パイプ１５とが一体的に構成されたパイプであることを特徴とする第１又は２に記載の幌車シール構造に関する。
【発明の効果】
【００１６】  本発明の幌車シール構造は、幌側型部に水受けリップを設定しているためフロントピラーパネル及びヘッダーパネルの外周に設けられたシール部がシンプルになり、幌を閉じたときのオープンカーの外観が頗る良好であるという優れた効果を有する。【００１７】  また、本発明の幌車シール構造は、水受けリップが幌側型部に設定されているため、雨が止んで幌を開いたとき、幌上部からの雨水は、水受けリップと連通する幌型部後方排水パイプ並びに幌ルーフ側排水パイプを経由して排水されるので、車内へ雨水が滴下することがないという優れた効果を有する。【００１８】  また、本発明の幌車シール構造は、ボデーシール部コーナー成型部に水受けリップを設けていないので、該成型部の金型が簡素になり金型製造コストが節減できるだけでなく該コーナー成型部の成型が容易となり該コーナー成型部の成型生産性が向上するという優れた効果を有している。
【発明を実施するための最良の形態】
【００１９】    以下本発明について具体的に説明するが、これらの説明に限定されるものではない。【００２０】  本発明の構成について図５、図６、図７及び図８を参照して説明する。図５は本発明の実施の形態例を示す幌組み付け状態図である。図６−１は、本発明の実施の形態例を示す図５のＢ−Ｂ断面図であって、幌閉時のシールタワミ状態を示す図である。図６−２は、本発明の実施の形態例を示す図５のＢ−Ｂ断面図であって、幌開き始めの排水経路を示す図である。図７は、本発明の実施の形態例を示す図５のＣ−Ｃ断面図である。図８は、本発明の実施の形態例を示す排水経路概略図である。【００２１】  本発明の幌車シール構造は、幌側に設定されたシール部とボデー側に設定されたシール部を弾接させてシールさせる幌車のシール構造であって、幌シール部コーナー成型部１０２に設定した幌側水受けリップ１６と幌シール部コーナー成型部１０２の後方幌内側に向けて突出させた幌型部後方排水パイプ１９と幌内側に設定した幌ルーフ側排水パイプ２３と幌内側に設定した幌前部排水パイプ１５とを連接させてなる幌車の排水機能を有する構成となっている。また、この幌シール部コーナー成型部１０２の後方幌内側に向けて突出させた幌型部後方排水パイプ１９と幌内側に設定した幌ルーフ側排水パイプ２３と幌内側に設定した幌前部排水パイプ１５とは分割して製作したパイプを連接して一体とする構成にしてもよく、一体パイプとして製作する構成にしてもよい。【００２２】  本発明の幌車シール構造について図５、図６を参照してさらに説明する。幌シール部コーナー成型部１０２は幌前部の左右に一対に設けられ（図示せず）、一方の該成型部１０２に設けられた幌側水受けリップ１６が幌内側に設定した幌前部排水パイプ１５の一端と連通し、他方の該成型部１０２に設けられた幌側水受けリップ１６は、該排水パイプ１５の他端と連通された構成となっている。また、幌型部後方排水パイプ１９は該水受けリップ１６に対応して左右に一対設けられている（図示せず）。そのため、左右の幌側水受けリップ１６で受けた雨水は、該排水パイプ１５を通じて左右の該排水パイプ１９何れにも流水される構成となっている。【００２３】  本発明の幌車シール構造において、雨が降った時即ち幌を閉じる時は、図６−１に示すようにボデーシール部であるフロントウインドガラスに設けられたヘッダーパネル１７に固着されたボデーシール部コーナー成形部６に対して幌シール部弾性体１０２が弾接されてシールされる構成となっている。また、幌閉時は幌側水受けリップ１６と幌１０８前端部の幌キャンパス１１１とが弾接され、雨水は、幌型部後方排水パイプ１９内には流水されない構成となっている。しかしながら、万が一該リップ１６と該キャンパス１１１との間に隙間ができたとしても雨水は該排水パイプ１９へ流水するので車内へ漏水することはない。そして、該排水パイプ１９は幌先端パネル１８に固着された凸型の排水パイプ取付口１８−１に装着固定された構成となっている。【００２４】  また、本発明の幌車シール構造において、雨が上がり、幌を開く時は、図６−２に示すように幌先端パネル１８に固着された幌シール部コーナー成形部１０２がボデーシール部２０から���れると同時に、幌側水受けリップ１６と幌１０８前端部の幌キャンパス１１１とが離れて、該リップ１６と該キャンパス１１１との間に開口部を形成し、幌側水受けリップ１６に滞留する雨水は、雨水の流れ方向２４の矢印方向に向かって幌型部後方排水パイプ１９へと流水する構成となっている。また、幌側水受けリップ１６は幌後方部に向けて湾曲した構成となっているため、幌１０８を開いても該リップ１６に滞留している雨水が車内へ流水することはない。【００２５】  また、本発明の幌車シール構造において、図−７に示すように、幌１０８とドアーガラス１１２とのシール構造は、幌骨１０９に固定されたシール固定用チャンネル２１に固着された幌側シール部コーナー成形部１０２とドアーガラス１１２とが弾接されてシールされる構成となっている。また、幌１０８の前端中央部は、幌キャンパス１１１が幌側シール部コーナー成形部１０２の空洞部弾性体１０２−２に弾接するとともに、幌側シール部コーナー成形部１０２のボデーシール部成形部６に向けて延長するリップ１０２−１が該シールコーナー成形部６と弾接することにより、幌側とボデー側とがシールされる構成となっている。【００２６】  また、本発明の幌車シール構造は、幌１０８を折りたたんで収納する際、幌型部後方排水パイプ１９と幌ルーフ側排水パイプ２３とが連接されてなる幌排水パイプの曲折部がコイル状の芯線入りパイプ又は蛇腹状等のフレキシブルパイプで構成されている。したがって、幌１０８を折りたたんで収納する際、無理なくスムーズに収納できるとともに、幌１０８を閉めたり開けたりしても幌排水パイプの曲折部において閉塞部が生じることがない。【００２７】  また、図−８は本発明の実施の形態例を示す排水経路概略図であるが、本発明の幌車シール構造は、上述したように幌１０８を開いたとき幌側水受けリップ１６に滞留している雨水は、雨水の流れ方向２４の矢印に向かって幌型部後方排水パイプ１９並びに幌ルーフ側排水パイプ２３を経由して外に出て行く構成となっている。【００２８】  また、本発明の幌車シール構造は、幌型部後方排水パイプ１９と幌ルーフ側排水パイプ２３と幌前部排水パイプ１５とが一体的に構成されたパイプとすることができる。また、本発明の当該排水パイプは、一体的に構成しても分割したものを連接して一体的に構成してもよく、経済性等を考慮して適宜選択すればよい。【００２９】  上述したように、本発明の幌車シール構造は、幌側型部に水受けリップを設定しているためフロントガラスの外周に設けられたシール部がシンプルになり、幌を閉じたときのオープンカーの外観が頗る良好であるという優れた効果を有する。【００３０】  また、本発明の幌車シール構造は、水受けリップが幌側型部に設定されているため、雨が止んで幌を開いたとき、水受けリップに滞留した雨水は、水受けリップと連通する幌型部後方排水パイプ並びに幌ルーフ側排水パイプを経由して排水されるので、車内へ雨水が漏水することがないという優れた効果を有する。【００３１】  また、本発明の幌車シール構造は、ボデーシール部のコーナー成型部に水受けリップを設けていないので、該成型部の金型が簡素になり金型製造コストが節減できるだけでなく該コーナー��型部の成型が容易となり該コーナー成型部の成型生産性が向上するという優れた効果を有している。
【図面の簡単な説明】
【００３２】
【００３３】
【図１】幌車のシール構成図である。
【図２】従来例を示す図１の幌シール部Ａの拡大図である。
【図３】従来例を示す図２のＡ−Ａ断面図である。
【図４】従来例を示す幌開き始めの状態図である。
【図５】本発明の実施の形態例を示す幌組み付け状態図である。
【図６−１】本発明の実施の形態例を示す図５のＢ−Ｂ断面図であって、幌閉時のシールタワミ状態を示す図である。
【図６−２】本発明の実施の形態例を示す図５のＢ−Ｂ断面図であって、幌開き始めの排水経路を示す図である。
【図７】本発明の実施の形態例を示す図５のＣ−Ｃ断面図である。
【図８】本発明の実施の形態例を示す排水経路概略図である。
【符号の説明】
【００３４】１        ボデーシール部
２        幌シール部
３        幌シール部
４        幌シール部
６        ボデーシール部コーナー成形部
７        水受けリップ
８        幌
９        幌骨
１０      シールを固定するリテーナー
１１      幌キャンパス
１２      ドアーガラス
１３      幌側シール一般断面図
１４      雨水
１５      幌前部排水パイプ
１６      幌側水受けリップ
１７      ヘッダーパネル
１８−１  排水パイプ取付口
１９      幌型部後方排水パイプ
２１      シール固定用チャンネル
２３      幌ルーフ側排水パイプ
２４      雨水の流れ方向
１０２    幌シール部コーナー成形部（弾性体）
１０６    ボデーシール部コーナー成形部（弾性体）
１０８    幌
１０９    幌骨
１１１    幌キャンパス
１１２    ドアーガラス
１０２−１リップ
１０２−２空洞部弾性体
【図１】
2006306355.tif 000003
【図２】
2006306355.tif 000004
【図３】
2006306355.tif 000005
【図４】
2006306355.tif 000006
【図５】
2006306355.tif 000007
【図６−１】
2006306355.tif 000008
【図６−２】
2006306355.tif 000009
【図７】
2006306355.tif 000010
【図８】
2006306355.tif 000011